(57)【要約】【課題】簡単安価な構成にて貯蔵室の容積を減じることなく発汗を抑制し省エネ性を高めた冷蔵庫の提供。【解決手段】温度帯の異なる貯蔵室を形成するように箱本体を上下に仕切る仕切体１２２と、仕切体で区画された貯蔵室の開口部を開閉可能とする扉１１９と、開口部と扉の間に配置されたガスケット１２１と、仕切体の扉側前面に配置されガスケットと当接する当接部材１２３と、当接部材よりも庫内側の仕切体に設けた放熱パイプ１３１とを備え、前記放熱パイプは温度帯の高い貯蔵室を覆う扉と温度帯の低い貯蔵室を覆う扉とで構成される中心線よりも温度帯の低い貯蔵室側に偏らせて１列配置としたものである。これにより、仕切体前面の当接部材を加熱する加熱総量が少なくなって、当接部材を介しての各貯蔵室への熱移動は少なくなり、簡単安価な構成で、省エネ性が高まる。【選択図】図３
2013185731.tif 000002
【特許請求の範囲】
【請求項１】
断熱性能を有する箱本体と、温度帯の異なる貯蔵室を形成するように前記箱本体を仕切る仕切体と、前記仕切体で区画された貯蔵室の開口部を開閉可能とする扉と、前記開口部と前記扉の間に配置され、前記貯蔵室の密閉性を向上させるガスケットと、前記仕切体の扉側前面に配置され前記ガスケットと当接する当接部材と、前記当接部材よりも庫内側の仕切体に設けた放熱パイプとを備え、前記放熱パイプは温度帯の高い貯蔵室を覆う扉と温度帯の低い貯蔵室を覆う扉との間の中心線よりも温度帯の低い貯蔵室側に偏らせて１列配置で設けたことを特徴とする冷蔵庫。
【請求項２】
放熱パイプは温度帯の高い貯蔵室を覆う扉と温度帯の低い貯蔵室を覆う扉との間の中心線よりも温度帯の低い貯蔵室側であって、更に温度帯の低い貯蔵室側のガスケットより温度帯の高い貯蔵室側に配置した請求項１記載の冷蔵庫。
【請求項３】
仕切体の放熱パイプと温度帯の低い貯蔵室との間に断熱部を設けたことを特徴とする請求項１または２に記載の冷蔵庫。
【請求項４】
断熱部は内部に仕切体の断熱性より高い断熱性を持つ断熱材を備えた請求項３に記載の冷蔵庫。
【請求項５】
断熱部は仕切体と温度帯の高い貯蔵室との間にも設けたことを特徴とする請求項１〜４のいずれか１項記載の冷蔵庫。
【請求項６】
当接部材は樹脂材料で形成し、貯蔵室の密閉性を向上させるガスケットは磁石を備えるとともに、前記ガスケットと対応する当接部材の仕切体側には磁性板を配置した請求項１〜５のいずれか１項記載の冷蔵庫。
【発明の詳細な説明】
【技術分野】
【０００１】
本発明は省エネ効果の高い冷蔵庫の構造に関するものである。
【背景技術】
【０００２】
一般に冷蔵庫は冷蔵庫本体内を仕切板で仕切って複数の貯蔵室を形成し、この貯蔵室に対応してそれぞれ扉を設けて構成してある。そして、各貯蔵室の全面開口縁部分は外気と貯蔵室内の温度差によって結露、いわゆる発汗しやすいため、当該貯蔵室の開口縁部分には冷凍サイクルにおける放熱パイプの一部を埋設し、この放熱パイプで開口縁部分を加熱して、発汗を防止するようになっている（例えば、特許文献１参照）。
【０００３】
図９は上記特許文献１に記載されている発汗防止構成を示す。図９において、７８は第１冷凍室５５と第２冷凍室５６を仕切る仕切壁で、仕切壁７８の前面部に山形状の仕切板８１を配設し、この仕切板８１の突出部８０ａの内部上下に発汗防止用の放熱パイプ７５を設けるとともに、この突出部８０ａに対向する扉５９、６０に第１、第２、第３、第４ガスケット９０，９１，９２，９３，９４が設けてある。
【０００４】
この発汗防止構成は、放熱パイプ７５による加熱に加え、仕切板８１に設けた突出部８０ａの前面を扉表面部分まで突出させることによって表面温度を高め、発汗を防止すると同時に、突出部８０ａを設けることによって放熱パイプ７５配置部分から第１冷凍室５５と第２冷凍室５６までの距離を長くして熱移動を抑え、更に第１から第４のガスケット９０〜９４による断熱効果によって、発汗防止のための加熱の熱が第１冷凍室５５や第２冷凍室５６に移動して省エネ性が低下するのを防止している。
【先行技術文献】
【特許文献】
【０００５】
【特許文献１】特開２００２−３６４９７８号公報
【発明の概要】
【発明が解決しようとする課題】
【０００６】
しかしながら、上記従来の構成では、仕切板８０に山形状という特異な形状の突出部８１ａを形成して、更に扉５９、６０との間のシールを行うガスケット９０，９１，９２，９３，９４を４つも設けなければならず、構造が複座で部品点数の増加等によるコストアップを招く課題がある。また、コストアップの割に、放熱パイプ７５が突出部８１ａの上下に２列に設けてあって加熱量が多いため、第１冷凍室５５や第２冷凍室５６への熱移動は若干残り、その分の熱を冷却するためのエネルギーが必要となって、省エネ性を向上させるための改善余地が残るものであった。
【０００７】
上記省エネ性の改善は、例えば放熱パイプ７５を１列にして加熱量を少なくすればよいと思われるが、このように放熱パイプ７５を１列にすると仕切板突出部８１ａ前面の発汗抑制が不十分となってしまう。そのためこの放熱パイプ７５を１列にして発汗の抑制を行おうとすれば、仕切板８１自体の厚みを大きくして、各第１冷凍室５５や第２冷凍室５６から外気に接する仕切板突出部８１ａ前面までの距離をかなり長く確保して、外気との温度差を解消する必要がある。しかしながら、仕切板８１の厚みを厚くすることは、その分だけ第１冷凍室５５や第２冷凍室５６の容積を減じてしまう結果となり、実用的でない。
【０００８】
本発明はこのような点に鑑みてなしたもので、簡単安価な構成にて貯蔵室の容積を減じることなく発汗を抑制し省エネ性を高めた冷蔵庫を提供するものである。
【課題を解決するための手段】
【０００９】
上記従来の課題を解決するために、本発明の冷蔵庫は、断熱性能を有する箱本体と、温度帯の異なる貯蔵室を形成するように前記箱本体を仕切る仕切体と、前記仕切体で区画された貯蔵室の開口部を開閉可能とする扉と、前記開口部と前記扉の間に配置され、前記貯蔵室の密閉性を向上させるガスケットと、前記仕切体の扉側前面に配置され前記ガスケットと当接する当接部材と、前記当接部材よりも庫内側の仕切体に設けた放熱パイプとを備え、前記放熱パイプは温度帯の高い貯蔵室を覆う扉と温度帯の低い貯蔵室を覆う扉との間の中心線よりも温度帯の低い貯蔵室側に偏らせて１列配置で設けた構成としてある。
【００１０】
これにより、仕切体前面の当接部材を加熱する加熱総量が少なくなって、当接部材を介しての各貯蔵室への熱移動は少なくなり、その結果省エネ性が高まると同時に、放熱パイプは外気温との温度差が大きくて発汗しやすい温度帯の低い貯蔵室（以下、低温貯蔵室とも称す）側の仕切体部分を加熱して、発汗を効率よく抑制することになる。また、構成的には放熱パイプの設置位置を低温貯蔵室側に偏らせて設けるだけの構成で発汗を抑制しつつ省エネ性を高めることができ、仕切体の厚みを厚くすることによって貯蔵室の容積を低減することもなく、また、仕切体の前面側を山形状にしたり、４つものガスケットを設けるなどしなくてもよく、簡単かつ安価な構成で発汗抑制と省エネ性向上が達成できる。
【発明の効果】
【００１１】
本発明の冷蔵庫は、複雑な構成を採用したり、仕切体の厚みを厚くして貯蔵室の容積を低減することなく、発汗を抑制して省エネ性を向上させることができ、簡単安価で、省エネ性の高い冷蔵庫を提供することができる。
【図面の簡単な説明】
【００１２】
【図１】本発明の実施の形態１における冷蔵庫の縦断面図
【図２】同実施の形態１における冷蔵庫の冷却構成を説明する断面図
【図３】同実施の形態１を示す要部（図１のＡ部）の拡大断面図
【図４】同実施の形態１における仕切体部分の斜視図
【図５】同実施の形態１における仕切体部分の分解斜視図
【図６】同実施の形態１における仕切体の要部斜視図
【図７】同実施の形態２における冷蔵庫の要部断面図
【図８】同実施の形態３における冷蔵庫の要部拡大断面図
【図９】従来の冷蔵庫の要部を示す断面図
【発明を実施するための形態】
【００１３】
第１の発明は、本発明の冷蔵庫は、断熱性能を有する箱本体と、温度帯の異なる貯蔵室を形成するように前記箱本体を仕切る仕切体と、前記仕切体で区画された貯蔵室の開口部を開閉可能とする扉と、前記開口部と前記扉の間に配置され、前記貯蔵室の密閉性を向上させるガスケットと、前記仕切体の扉側前面に配置され前記ガスケットと当接する当接部材と、前記当接部材よりも庫内側の仕切体に設けた放熱パイプとを備え、前記放熱パイプは温度帯の高い貯蔵室を覆う扉と温度帯の低い貯蔵室を覆う扉との間の中心線よりも温度帯の低い貯蔵室側に偏らせて１列配置で設けた構成としてある。
【００１４】
これにより、仕切体前面の当接部材を加熱する加熱総量が少なくなって、当接部材を介しての各貯蔵室への熱移動は少なくなり、その結果省エネ性が高まる。これと同時に、放熱パイプは低温貯蔵室側だけを加熱するようになるため、外気温との温度差が大きくて発汗しやすい低温貯蔵室側の仕切体部分での発汗を効率よく抑制することができる。
【００１５】
また、上記低温貯蔵室側との熱交換で温度低下して従来に比べ比較的温度が低くなった
熱が当接部材の温度帯が高い貯蔵室（以下、高温貯蔵室とも称す）側へ熱分散するので高温貯蔵室側の発汗も抑制でき、それでいて高温貯蔵室側への熱伝達による熱損失は従来に比べ少ないものとすることができ、省エネ性を高めることができる。また、構成的には放熱パイプの設置位置を低温貯蔵室側に偏らせて設けるだけの構成で発汗を抑制しつつ省エネ性を高めることができ、仕切体の厚みを厚くすることによって貯蔵室の容積を低減することもなく、また、仕切体の前面側を山形状にしたり、４つものガスケットを設けるなどしなくてもよく、簡単かつ安価な構成で発汗抑制が達成できる。
【００１６】
第２の発明は、第１の発明において、放熱パイプは温度帯の高い貯蔵室を覆う扉と温度帯の低い貯蔵室を覆う扉との間の中心線よりも温度帯の低い貯蔵室側であって、更に温度帯の低い貯蔵室側のガスケットより温度帯の高い貯蔵室側に配置した構成としてあり、当接部材の前記放熱パイプによって加熱されて温度の上がる部分に低温貯蔵室の冷気が直接触れるのをガスケットで防止することができ、その結果熱損失の発生を低減でき、さらなる省エネ向上が図れる。
【００１７】
第３の発明は、第１または第２の発明において、仕切体の放熱パイプと温度帯の低い貯蔵室との間に断熱部を設けた構成としてあり、放熱パイプと温度帯の低い貯蔵室との間を断熱するとともに、放熱パイプからの熱伝導も強力に防止することができ、放熱パイプを温度帯の低い貯蔵室側に設けたことによる当該温度帯の低い貯蔵室での熱損失を強力に防止でき、省エネ性を更に向上させることができる。
【００１８】
第４の発明は、第３の発明において、断熱部は内部に仕切体より高い断熱性を持つ断熱材を備えた構成としてあり、第３の発明の熱伝導防止と熱損失防止の効果を高めて省エネ性を一段と向上させることができる。
【００１９】
第５の発明は、第１〜第４の発明において、断熱部は仕切体と温度帯の高い貯蔵室との間にも設けた構成としてあり、温度帯の高い貯蔵室への熱伝導を低減して、熱損失を防止し、省エネ性を向上させることができる。
【００２０】
第６の発明は、第１〜第５の発明において、当接部材は樹脂材料で形成し、貯蔵室の密閉性を向上させるガスケットは磁石を備えるとともに、前記ガスケットと対応する当接部材の仕切体側に磁性板を配置した構成としてあり、当接部材そのものが熱移動性が悪く断熱性に優れているため、発汗抑制効果が若干低下するものの、放熱パイプの熱が貯蔵室側に熱伝道するのを効果的に抑制することができ、さらに省エネ性を高めることができる。
【００２１】
以下、本発明の実施の形態について、図面を参照しながら説明する。なお、この実施の形態によって本発明が限定されるものではない。
【００２２】
（実施の形態１）
図１は本発明の実施の形態１における冷蔵庫の縦断面図、図２は同実施の形態１における冷蔵庫の冷却構成を説明する断面図、図３は同実施の形態１を示す要部（図１のＡ部）の拡大断面図、図４は同実施の形態１における仕切体部分の斜視図、図５は同実施の形態１における仕切体部分の分解斜視図、図６は同実施の形態１における仕切体の要部斜視図である。
【００２３】
図１に示すように、冷蔵庫１００の箱本体１０１は、主に鋼板を用いた外箱１０２とＡＢＳなどの樹脂で成型された内箱１０３とで構成され、外箱１０２と内箱１０３との間には例えば硬質発泡ウレタンなどの発泡断熱材が充填されている。冷蔵庫１００は、主として箱本体１０１により周囲と断熱されている。箱本体１０１は、複数の貯蔵室に区分されている。箱本体１０１の最上部には貯蔵室としての冷蔵室１０４、その冷蔵室１０４の下
部に貯蔵室としての野菜室１０５、そして最下部に貯蔵室としての冷凍室１０６が配置されている。前記各貯蔵室の前面開口部は、扉１１７、扉１１８、扉１１９によって開閉可能に閉塞されている。
【００２４】
冷蔵室１０４は、冷蔵保存のために凍らない温度を下限に設定されており、通常１℃〜５℃の範囲で設定される。野菜室１０５は、冷蔵室１０４と同等もしくは若干高い温度に設定されており、通常２℃〜７℃の範囲で設定される。冷凍室１０６は、冷凍保存のために冷凍温度帯に設定されており、通常−２２℃〜−１５℃の範囲で設定される。なお、冷凍室１０６は、冷凍保存状態の向上のために、例えば−３０℃や−２５℃の低温で設定されることもある。また、野菜室１０５は、冷凍室に温度帯を切り替えることも可能であり、−１８℃まで設定されるが、これ以降本説明においては野菜室として説明を行う。
【００２５】
箱本体１０１の最下部の冷凍室１０６後方領域には機械室１０７が設けられている。機械室１０７には、圧縮機１０８、水分除去を行うドライヤ（図示せず）等の冷凍サイクルの高圧側構成部品が収容されている。
【００２６】
図２に示すように、冷凍室１０６の背面には冷気を生成する冷却室１０９が設けられている。冷凍室１０６と冷却室１０９との間には、断熱性を有する奥面仕切壁１１０が設けられている。奥面仕切壁１１０は、各室への冷気の搬送風路を形成し、各室と断熱区画するためのものである。冷却室１０９内には、冷却器１１１が配設されている。冷却器１１１の上部空間には強制対流方式により冷却器１１１で冷却した冷気を冷蔵室１０４、野菜室１０５、冷凍室１０６に送風する冷却ファン１１２が配置されている。冷却器１１１の下部空間には冷却時に冷却器１１１やその周辺に付着する霜や氷を除霜するためのガラス管製のラジアントヒータ１１３が設けられている。さらにラジアントヒータ１１３の下部には除霜時に生じる除霜水を受けとめ庫外に排水するための排水受け皿１１４が設けられ、その下流側の庫外に蒸発皿１１６が設けられている。
【００２７】
奥面仕切壁１１０には冷却器１１１で生成された冷気を冷却ファン１１２によって冷凍室１０６へと導くために吐出口１１５と、冷凍室１０６内を循環した冷気を冷却器１１１へ戻すための吸込口１１５ａとが設けられている。また、冷凍室１０６内には食品類を貯蔵する収納ケース１２６が配置されている。収納ケース１２６は、引き出しと共に引き出されるものとなっている。
【００２８】
図３に示すように、扉１１９の内面の端部には全周にわたりガスケット１２１が設けられている（冷蔵室１０４、野菜室１０５においても同様）。ガスケット１２１は、仕切体１２２の前面に設けられた金属製の当接部材１２３と密着することにより冷凍室１０６や野菜室１０５内方の冷気が外部に漏れるのを防止している。ここで、仕切体１２２は、野菜室１０５と冷凍室１０６とを上下に区切る部材である樹脂で形成されている。
【００２９】
また、仕切体１２２の当接部材１２３の背面と接触する部分には放熱パイプ１３１が配設されている。放熱パイプ１３１は、仕切体１２２の前方部分、すなわち、当接部材１２３が結露することを防止するためのものであり、放熱パイプ１３１は、冷凍サイクル（図示せず）における高温冷媒が内方を流通するものとなっている。従って、高温冷媒との熱交換によって当接部材１２３を加温し結露の発生を抑止している。
【００３０】
ここでこの実施の形態では図３から明らかなように放熱パイプ１３１は１列配置としてあり、その配置位置は扉１１８と扉１１９との間の破線で示す中心線から冷凍室１０６側、すなわち温度帯の低い貯蔵室側に偏らせた位置に配置してある。そして、更に放熱パイプ１３１は温度帯の低い冷凍室１０６側の扉１１９のガスケット１２１より上方に位置させてある。
【００３１】
さらに、仕切体１２２は、当接部材１２３の近傍（本実施の形態の場合、下方）に断熱部１２４を形成している。断熱部１２４は、当接部材１２３が冷凍室１０６の内方空間と直接接触しないようにするための仕切体１２２の一部分であり、当接部材１２３からの熱伝導により冷凍室１０６の温度が上昇することを抑制している。このように断熱部１２４は、物体すなわち固体同士が当接することによって発生する熱伝導を抑制する熱伝導断熱部となっている。
【００３２】
断熱部１２４は、図４に示すように当接部材１２３の下方であって仕切体１２２の幅方向全体にわたって設けられている。また、断熱部１２４の幅方向の両端部には図４、図５に示すように開口部１２８が設けられている。開口部１２８は幅方向外向きに突出した突起形状となっており、内箱１０３の両側壁に対応する部分に設けられた挿入穴１２７に差し込まれるものとなっている。以上の様に開口部１２８を箱本体１０１に挿入することにより、仕切体１２２の前部が箱本体１０１に固定される。
【００３３】
図６に示すように、当接部材１２３の裏面庫内側には断熱部材１３４が配置されている。断熱部材１３４は、放熱パイプ１３１からの熱が庫内へと侵入することを抑制している。さらに、当接部材１２３の下部に設けられた断熱部１２４には前記当接部材裏面の断熱部材１３４の断熱材よりも断熱性の高い発泡ウレタン等の断熱材１３０が充填されている。これにより、断熱部１２４の断熱効率を向上させ当接部材１２３から直接庫内へ熱が侵入することを抑制している。
【００３４】
以上のように構成された冷蔵庫について、以下その動作、作用を説明する。
【００３５】
まず、冷凍室１０６内の冷気の流れについて説明する。冷却器１１１により冷却された冷気は、モータの回転に伴い回転する冷却ファン１１２により強制的に吐出口１１５から冷凍室１０６内の上段、中段、下段へとそれぞれ吹き出される。吹き出された冷気は、収納ケース１２６に吹きつけられて収納されている食品類を冷却する。食品類を冷却した冷気は、矢印に示すように、収納ケース１２６と内箱底壁との空隙を通って吸込口１１５ａより吸い込まれて、冷却器１１１に戻ってくる風路構成になっている。
【００３６】
上記のように、冷気は冷凍室１０６内を循環する際に、壁面など比較的高温の部分と熱交換を行うことで加温される。
【００３７】
ここで、上記当接部材１２３は放熱パイプ１３１によって加温され冷気に対して高温である。しかしながらこの実施の形態では、放熱パイプ１３１は１列配置としてあり、放熱パイプ１３１による当接部材の加熱総量は２列配置の場合に比べ少ない。そのため、当接部材１２３の温度は従来に比べ低く抑えられることになり、仕切体上下の野菜室１０５、冷凍室１０６への熱伝道は少なくなって冷気の加温が抑制でき、冷却効率を向上させ、その結果消費電力量を低減、すなわち省エネ性を向上させることができる。
【００３８】
また、上記放熱パイプ１３１は温度帯の低い冷凍室１０６側だけを加熱するようになるため，外気温との温度差が大きくて発汗しやすい冷凍室１０６側の仕切体前部分での発汗を効率よく抑制することができる。更に、上記冷凍室１０６側との熱交換で温度低下して従来に比べ比較的温度が低くなった熱が当接部材１２３の温度帯が高い野菜室１０５側へ熱分散するので野菜室１０５側での発汗も抑制でき、それでいて野菜室１０５内への熱伝達による熱損失は従来に比べ少ないものとすることができ、省エネ性を高めることができる。
【００３９】
また、この実施の形態では、放熱パイプ１３１の設置位置を冷凍室１０６側に偏らせて
設けるだけの構成で発汗を抑制しつつ省エネ性を高めることができ、仕切体１２２の厚みを厚くする必要がないので野菜室１０５や冷凍室１０６の容積を低減することもなく、また、仕切体１２２の前面側を山形状にしたり、４つものガスケットを設けるなどしなくてもよく、簡単かつ安価な構成で発汗抑制が達成できる。
【００４０】
加えて、この実施の形態では放熱パイプ１３１は更に温度帯の低い冷凍室１０６側のガスケット１２１より温度帯の高い野菜室１０５側に配置してあるから、当接部材１２３の前記放熱パイプ１３１によって加熱された部分が冷凍室１０６内の冷気と直接触れるのをガスケット１２１によって防止することができ、その結果熱損失の発生を低減でき、さらなる省エネ向上が図れる。
【００４１】
また、上記仕切体１２２内の放熱パイプ１３１と温度帯の低い冷凍室１０６との間に断熱部１２４を設けてあるから、当接部材１２３に冷凍室１０６内の冷気が直接接することが回避されるとともに、放熱パイプ１３１と温度帯の低い冷凍室１０６との間を断熱することになる。更に、放熱パイプ１３１からの冷凍室１０６側への熱伝導も強力に防止することができ、放熱パイプ１３１を温度帯の低い冷凍室１０６側に設けたことによる当該温度帯の低い冷凍室１０６での熱損失をより確実に防止でき、省エネ性を向上させることができる。特に上記断熱部１２４は内部に仕切体１２２や当接部材１２３の内側に設けた断熱部材１３４より高い断熱性を持つ断熱材１３０を設けてあるから、上記熱伝導防止と熱損失防止の効果を高めて省エネ性を一段と向上させることができる。
【００４２】
また、上記した如く冷気の加温を抑制できることにより、冷気が低い温度のまま循環するため冷凍室１０６内全体の温度分布を均一に保つことができる。
【００４３】
（実施の形態２）
図７は本発明の実施の形態２における冷蔵庫の要部拡大断面図である。なお、実施の形態１と同様の構成または同様の技術思想が適用できる部分については、説明を省略し、異なる部分のみ説明する。
【００４４】
図７において、この実施の形態では仕切体１２２の上側部分、すなわち温度帯の高い野菜室１０５側にも断熱部１２４が設けてある。更に上記上側の断熱部１２４と下側の断熱部１２４は、当接部材１２３とは別部材で形成して取付式断熱部１７０ａ、１７０ｂとしてあり、その内部に実施の形態１と同様の断熱材１３０が装着してある。
【００４５】
以上のように構成された冷蔵庫について、以下その動作・作用を説明する。なお、実施の形態１と同様である動作・作用についての説明は省略する。
【００４６】
上記実施の形態では、取付式断熱部１７０ａ、１７０ｂを当接部材１２３に上下両側に備えたことにより、上下どちらか片側のみの場合に比べ、放熱パイプ１３１で加熱された当接部材１２３からの熱侵入抑制効果をより向上されることができる。すなわち温度の高い野菜室１０５への熱伝導をも低減して、熱損失を抑制し、省エネ性を向上させることができる。
【００４７】
（実施の形態３）
図８は本発明の実施の形態３における冷蔵庫の要部拡大断面図である。なお、実施の形態１と同様の構成または同様の技術思想が適用できる部分については、説明を省略し、異なる部分のみ説明する。
【００４８】
図８において、この実施の形態では、当接部材１２３を樹脂材料で形成し、冷凍室１０６の密閉性を向上させるガスケットは磁石１２１ａを備えるとともに、前記ガスケット１
２１と対応する当接部材１２３の仕切体１２２側に磁性板１４０を配置してある。
【００４９】
上記構成により、当接部材１２３そのものが熱伝道性が悪く断熱性に優れているため、発汗抑制効果が若干低下するものの、放熱パイプ１３１の熱が野菜室１０５、冷凍室１０６側に熱電動するのを効果的に抑制することができ、さらに省エネ性を高めることができる。
【００５０】
以上のように本発明の冷蔵庫は発汗を抑制しつつ省エネ性を高めることができるものであるが、本発明の目的を達成する範囲で種々の展開が可能である。例えば、各実施の形態を不具合がない限り組み合わせて実施することが可能である。
【産業上の利用可能性】
【００５１】
以上のように、本発明にかかる冷蔵庫は、複雑な構成を採用したり、仕切体の厚みを厚くしたりすることなく、発汗を抑制して省エネ性を向上させることができ、簡単安価な構成で、かつ、貯蔵室の容積を減じることもなく、省エネ性の高い冷蔵庫を提供することができ、家庭用又は業務用冷蔵庫もしくは野菜専用庫に対しても適用できる。
【符号の説明】
【００５２】
１００  冷蔵庫
１０１  箱本体
１０５  野菜室（貯蔵室）
１０６  冷凍室（貯蔵室）
１１７，１１８，１１９  扉
１２１  ガスケット
１２１ａ  磁石
１２２  仕切体
１２３  当接部材
１２４  断熱部
１２６  収納ケース
１３０  断熱材
１３１  放熱パイプ
１３４  断熱部材
１４０  磁性板
【図１】
2013185731.tif 000003
【図２】
2013185731.tif 000004
【図３】
2013185731.tif 000005
【図４】
2013185731.tif 000006
【図５】
2013185731.tif 000007
【図６】
2013185731.tif 000008
【図７】
2013185731.tif 000009
【図８】
2013185731.tif 000010
【図９】
2013185731.tif 000011